(57)【特許請求の範囲】
【請求項１】
手袋本体と、この手袋本体の内側に取付けられ指先にはめられて指先を保護する指輪型の保護具と、この保護具の指輪型を形成する楕円状の後縁を、側方から見て、上向きに表われる傾斜部分と、を有することで、緊急時に前記手袋から手を抜こうとすると前記保護具の後縁が立ち上がることで前記指先を抜きやすいことを特徴とする作業手袋。
【請求項２】
前記取付は、前記指輪型の保護具の円周方向において、上部の先端と、下部の後端との２箇所で行なわれていることを特徴とする請求項１に記載の作業手袋。
【発明の詳細な説明】
【技術分野】
【０００１】
この発明は、指先を保護することができる作業手袋に関する。
【背景技術】
【０００２】
刃物などの鋭い部材との接触から手を守るためには、手袋自体の材質を柔らかく強靱なものに工夫することが有効であるが、重量物で挟まれるなど大きな荷重が加わることから指先を守るには、手袋に、剛性の高い保護具を取付けることが有効である。
例えば、下記特許文献１には、手袋の指先に、剛性の高い複数の円筒状の保護具を取付けることが提案されている。また、下記特許文献２には、手袋の指先に複数の、円筒状の一部を形成する保護具を取付けることが提案されている。
しかし、これらの保護具は、手袋の外側に取付けられているので、作業機械へ保護具が引っかかって巻き込まれる恐れが高くなる。また、作業中に保護具が外れたり、一部が欠けたりすると、作業によって製造された製品へ混入する異物となってしまう恐れが高くなる。
【０００３】
これらの恐れを無くすには、下記特許文献３のように、手袋の内側に保護具を取付けることが有効である。
しかしながら、特許文献３のように手袋の内側に取付けて指を保護する保護具は、指との間でがたつきがあると、正確な作業がしにくい。このため、指にフィットする指輪型の保護具にする必要がある。
ところが、指輪型にすると、新しい問題が生じる。すなわち、作業機械１００へ手袋が引っかかってしまった緊急時に、手袋から手を抜こうとしても、指輪型の保護具１０１が指１０３にフィットしているために、抜けず（図２（Ａ））、そのまま機械に巻き込まれてしまう恐れが生じる。
【０００４】
この問題を解決するために、出願人は、既に新しい工夫を創作し、下記特許文献４のように特許を得ている。
すなわち、指輪型の保護具に指先方向に向かって線状に、強度の弱い脆弱部位を形成する。これにより、緊急時に、手袋から手を抜こうとし、従って、指輪型の保護具から指を抜こうとすると、脆弱部位が引き裂かれ、よって保護具が破断され、容易に手袋から手を抜くことができる。
【先行技術文献】
【特許文献】
【０００５】
【特許文献１】特開２００５−４０２２１
【特許文献２】特許４５６３７２４
【特許文献３】米国特許和文抄録５９７４５８８
【特許文献４】特許５２４８６４４
【発明の概要】
【発明が解決しようとする課題】
【０００６】
しかしながら、上記特許文献４のように、指輪型の保護具１０１に脆弱部位１０５を形成し、緊急時に、手袋から手を抜こうとすることで、脆弱部位１０５によって保護具１０１が破断されるようにすると、容易に手袋から手を抜くことができるので、大きな怪我は防げるものの、脆弱部位１０５の破断部１０７によって指に軽い怪我を負わせる可能性を否定できない。
【０００７】
すなわち、脆弱部位１０５が破断すると、一般に破断部１０７は鋭くなる可能性があり（図２（Ｂ））、手袋から急いで手を抜く際に、その鋭くなった破断部１０７が指に刺さる事（図２（Ｃ））もあり得る。鋭くなった破断部１０７は、寸法は小さいものの、指に軽い怪我を負わせる可能性は否定できない。
【０００８】
この発明は、以上の問題点を解決するために、手袋の内側に取付けて指を保護する指輪型の保護具を、緊急時に、指を抜きやすいものにするとともに、指に怪我を負わせる可能性を抑止できる作業手袋を提供することを目的とする。
【課題を解決するための手段】
【０００９】
以上の課題を解決するために、第一発明は、手袋本体と、この手袋本体の内側に取付けられ指先にはめられて指先を保護する指輪型の保護具と、この保護具の指輪型を形成する楕円状の後縁を、側方から見て、上向きに表われる傾斜部分と、を有することを特徴とする作業手袋である。
【００１０】
第二発明は、さらに、前記取付は、前記指輪型の保護具の円周方向において、上部の先端と、下部の後端との２箇所で行なわれていることを特徴とする請求項１に記載の作業手袋である。
【発明の効果】
【００１１】
第一、又は第二発明によれば、保護具の指輪型を形成する楕円状の後縁を、側方から見て、上向きに表われる傾斜部分を有することで、楕円状の後縁が有する開口部の面積は、指の断面積よりも大きい。
そして、通常は、後縁は傾斜しているので、開口部が作用する面積は小さく、指にフィットする。よって、作業しやすい。しかし、緊急時に、手袋から手を抜こうとして、手を上下左右にゆすると、後縁は、ある瞬間に立ち上がることが期待でき、その瞬間には、開口部の実際の大きな面積が作用し、この大きな面積は、指の断面積よりも大きいので、指を抜きやすい。破断することもないので、破断による怪我はなくなり、指に怪我を負わせる可能性を抑止できる。
【００１２】
また、作業機械へ保護具が引っかかって巻き込まれる緊急時には、保護具の下部が引っかかる可能性が高い。緊急時の直前の作業は、手のひら側を作業機械に向けて行うことが多いからである。保護具の下部が引っかかると、保護具の指輪型の後縁は、容易に立ち上がることが期待でき、より指を抜きやすい。
【００１３】
第二発明によれば、更に、保護具の取付は、前記指輪型の保護具の円周方向において、上部の先端と、下部の後端との２箇所で行なわれていることから、保護具の指輪型の後縁の立ち上がりを、妨げにくい。
【図面の簡単な説明】
【００１４】
【図１】この発明の一実施形態を示す作業手袋を示すもので、（Ａ）は作業手袋の一部を切り取り、指輪型の保護具の部分を露出させた斜視図、（Ｂ）は（Ａ）の保護具の拡大側面図、（Ｃ）は（Ｂ）の保護部の取り付け箇所を示す側面図である。
【図２】図１の機能を従来のものと比較して示すもので、（Ａ）は一般的な指輪型の保護具の作用を示す側面図、（Ｂ）（Ｃ）は脆弱部位が設けられた指輪型の保護具の作用を示す側面図、（Ｄ）は図１の指輪型の保護具の作用を示す側面図を示す。
【発明を実施するための形態】
【００１５】
この発明の実施形態に係る作業手袋１を、図１〜図２（Ｄ）に示す。
図１（Ａ）（Ｂ）（Ｃ）に示すように、手袋本体３は、材質は強靱で柔らかいものを使用する。この手袋本体３の内側に保護具５が取付けられる。この保護具５は、金属や硬質プラスチック等の剛性の高い材料からなり、指先７にはめられて指先７を保護する指輪型をなす。指輪型の上部は一体的に広がったプロテクター９となっている。このプロテクター９は、円筒状の一部を構成し、指１０の爪１１に沿った形状を有する。そして、左右対称で、先端に向かって面積が小さくなり、よって側面下側は斜めになった形状となる。この形状により、指先７に向かって指１０の腹の露出は大きくなる。
【００１６】
図１（Ｂ）（Ｃ）に示すように、この保護具５の指輪型を形成する後縁１３、すなわち指１０を挿入する側の縁は、斜めにカットされた形状になっていて、傾斜している。傾斜は上向きである。このため、楕円状の後縁１３は、側方から見ると、上向きに表われ、傾斜部分１５となる。
【００１７】
この後縁１３は、楕円状の開口部１７をなす。この開口部１７の面積や寸法は、指１０の断面積や寸法よりもやや大きい。
図１（Ｂ）に示すように、傾斜部分１５の長さＡ、すなわち楕円の径は、保護される指先７の長さＢに比べ、同じか、より長くする。
図１（Ｃ）に示すように、この指輪型の手袋本体３の内側への取付は、指輪型の保護具５の円周方向において、上部と下部の２箇所１９，２１で行なわれている。そして、上部では保護具５の先端で、下部では保護具５の後端で行なわれている。  
【００１８】
「実施形態の効果」
以上の実施形態によれば、以下の効果を得る。
（１）  図１（Ａ）（Ｂ）（Ｃ）に示すように、通常の作業では、保護具５の後縁１３は傾斜しているので、開口部１７が指輪型として指１０に作用する面積、すなわち指１０の長手方向から見た面積は小さく、開口部１７は指１０にフィットする。よって、作業しやすい。
（２）  そして、緊急時に、手袋から手を抜こうとする際には、手を上下左右にゆすったり、強く引っ張ったりぱったりする。その際に、後縁１３は、ある瞬間に立ち上がる（図２（Ｄ）に示す）ことが期待できる。その立ち上がった瞬間には、開口部１７の有する実際の大きな面積が作用する。この大きな面積は、指１０の断面積よりも大きい。また、指１０の長手方向から見た開口部１７の寸法は、指１０の断面の寸法よりも大きい。このため、指１０を抜きやすい。
【００１９】
（３）  また、作業機械へ保護具５が引っかかって巻き込まれる緊急時には、保護具５の下部側が引っかかる可能性が高い（図２（Ｄ）に示す）。緊急時の直前の作業は、手のひら側、すなわち保護具５の下部側を作業機械に向けて行うことが多いからである。そして、保護具５の下部側が引っかかると、保護具５の指輪型の後縁１３は、容易に立ち上がることが期待でき、より指１０を抜きやすい。
【００２０】
（４）  また、保護具５が脆弱部位により破断（図２（Ｂ））することもないので、破断による怪我（図２（Ｃ））はなくなり、指１０に怪我を負わせる可能性を抑止できる。
（５）  図１（Ｃ）に示すように、保護具５の取付は、指輪型の保護具５の円周方向において、上部の先端と、下部の後端との２箇所１９，２１で行なわれていることから、保護具５の指輪型の後縁１３の立ち上がりを、妨げにくい。すなわち、この２箇所１９，２１は、側面図において、互いにもっとも遠くに位置するものであり、緊急時に手袋から手を抜こうとする際には、この２箇所１９，２１の間の長い距離によって大きなモーメントが働き、このモーメントは、保護具５の後縁１３を立ち上がらせる方向へ働く。
【００２１】
（６）  図１（Ｂ）に示すように、傾斜部分１５の長さＡ、すなわち楕円の径は、保護される指先７の長さＢに比べ、同じか、より長くすることで、指先７を、より抜きやすくなる。
（７）  また、保護具５に脆弱部位（図２（Ｂ））を設ける必要がないので、保護具５を単品の一体型にすることができ、低コストで、高強度のものが得られる。また、換言すると、保護具５を薄くでき、装着時の付け心地が良くなる。
【００２２】
「他の実施形態」
以上の実施形態では、保護具５の取付は、指輪型の保護具５の円周方向において、上部の先端と、下部の後端との２箇所１９，２１で行なわれているものであったが、他の実施形態では、どちらか１箇所でも良い。また、他の箇所でも構わない。
【符号の説明】
【００２３】
１…作業手袋、３…手袋本体、５…保護具、７…指先、９…プロテクター、１１…爪、１３…後縁、１５…傾斜部分、１７…開口部、１９，２１…取付箇所。
【要約】
【課題】手袋の内側に取付けて指を保護する指輪型の保護具を、緊急時に、手袋から手を抜きやすくし、かつ、指に怪我を負わせる可能性を抑止する。
【解決手段】手袋本体３の内側に、指先７にはめられて指先７を保護する指輪型の保護具５を取付ける。この保護具５の指輪型を形成する楕円状の後縁１３を、側方から見て、上向きに傾斜させる。取付は、指輪型の保護具５の円周方向において、上部の先端と、下部の後端との２箇所１９で行なう。これにより、通常は、後縁１３は傾斜しているので、開口部１７が作用する面積は小さく、指にフィットし、作業しやすい。しかし、緊急時に、手袋から手を抜こうとして、手を上下左右にゆすると、後縁１３は、ある瞬間に立ち上がり、開口部１７の実際の大きな面積が作用し、指を抜きやすい。破断することもないので、破断による怪我はなくなり、指に怪我を負わせる可能性を抑止できる。
【選択図】図１【図１】
0005406403.tif 000002
【図２】
0005406403.tif 000003